(57)【特許請求の範囲】
【請求項１】
液タンクの先端口に装着されるチップの先端内部に、スプリングで弾発されてチップの内向きの先端縁に接触し且つ一部をその内向きの先端縁から突出した状態で回転体が抱持され、前記先端口の外周に密接した状態で該先端口にキャップが装着されてチップを密封する構成の筆記具に於いて、
前記キャップの開口端面からその内部底に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、前記弾発部材は先端口のキャップ装着基端からその先端方向に向けた筒状に成形され、その筒部の外周に、その一端開口縁に沿わせて周方向に断続的に突出配置した連設部と、各連設部間とキャップ装着基端との間に変形逃げ空隙を確保するように各連設部と凸凹状に並列させて周方向に断続的に突出配置したキャップ戻し弾発部とを連設させて設けたことを特徴とする筆記具。
【請求項２】
液タンクの先端口に装着されるチップの先端内部に、スプリングで弾発されてチップの内向きの先端縁に接触し且つ一部をその内向きの先端縁から突出した状態で回転体が抱持され、前記先端口の外周に密接させた状態で該先端口にキャップが装着されてチップを密封する構成の筆記具に於いて、
前記キャップの開口端面からその内部底に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、弾性部材は前記先端口のキャップ装着基端からその先端方向に向けた筒状に成形され、その筒部の外周に、その一端開口縁から適宜の間隔をおいてキャップ装着基端との間に変形逃げ空隙を確保するように周方向に突出させたキャップ戻し弾発部を設けたことを特徴とする筆記具。
【請求項３】
請求項１又は２記載の筆記具において、
キャップを、先端口の外径よりも一回り程度大きめの内径にて成形した透明なキャップ本体と、このキャップ本体の尾端側に同芯状に組み込み内設され、先端口に装着する過程において、先端口の外周に密接せしめてチップを密封すると共に内部底がチップの先端から突出する回転体に当接せしめて該回転体をチップ内方へ後退させ、且つ回転体をチップの内向きの先端縁から離間させた時点で先端口に対する装着移動量を、先端口の先端面に対する当接により規制する有底筒状に成形した色付き内キャップとから構成したことを特徴とする筆記具。
【発明の詳細な説明】
【０００１】
【発明が属する技術分野】
本発明は、筆記具に係り、特にチップを保持する先端口に対してキャップを装着する過程において、キャップ内の内部空気を加圧縮せしめると共にチップの内向きの先端縁から突出する回転体をチップ内方に後退させて、加圧縮させたキャップ内の圧縮空気を液タンク内に送り込んで該液タンク内の内圧を上昇させる様に構成されている誤字訂正用の塗布具、或いはボールペン等の筆記具に関する。
【０００２】
【従来の技術】
従来からこの種の筆記具は当該技術分野で知られている。例えば実開平６−３９１６９  号に開示されている塗布具は図１０に例示したように、キャップ３０内に、先端口３１の外周に密接せしめて空気を加圧縮する内筒３２が一体に設けられ、この内筒３２内にはチップ３３の先端に抱持されている回転体３４をスプリングに抗してチップ３３の内向きの先端縁から離間させる如くチップ３３内方に向けて後退させる弾性に富んだ開弁部材３６が配置されており、該開弁部材３６に設けられている舌片３７にチップ３３から突出する回転体３４がキャップ３０を装着する過程において当接し、該舌片３７の反発力で回転体３４を接触するチップ３３の内向きの先端縁から離間させる如くスプリングに抗して後退させて、回転体３４と内向きの先端縁とで構成されるチップ３３先端の弁構造を開弁するようになっている。即ち、先端口３１に対する装着過程において、加圧縮された内筒３２内の圧縮空気が該回転体３４と内向きの先端縁との間にできる隙間から液タンク３５に送り込まれ、該液タンク３５内が加圧されるようになっている。
【０００３】
【発明が解決しようとする課題】
ところで、キャップの内筒内の空気が加圧縮された時点でチップから突出する回転体を該チップの内向きの先端縁から離間させる役目を成す開弁部材の舌片は開弁部材の筒部を内側に切り起すことで弾性起倒自在に設けられて、先端口に対する装着過程において、チップの先端から突出する回転体をその反発力でスプリングに抗して後退させるものである。従って、従来塗布具の開弁部材に設けられている舌片の反発力は繰り返されるキャップの着脱操作により短期間で衰え、結果としてスプリングに抗して回転体をチップ内方に向けて後退させることができなくなると言った開弁動作の確実性と安定性に欠ける難点を有するものであった。
【０００４】
本発明はこの様な従来事情に鑑みてなされたもので、その目的とする処は、キャップの装着時に加圧縮せしめたキャップ内の圧縮空気を液タンク内に送り込んで液タンクの内圧上昇を図ることは勿論、圧縮空気を液タンクに送り込むためにチップの内向きの先端縁から回転体を離間させるその開弁動作を長期に亘り確実且つ安定良く維持し得、更には筆記時のグリップ作用とキャップの装飾的効果を図った筆記具を提供することにある。
【０００５】
【課題を達成するための手段】
課題を達成するために本発明は、液タンクの先端口に装着されるチップの先端内部に、スプリングで弾発されてチップの内向きの先端縁に接触し且つ一部をその内向きの先端縁から突出した状態で回転体が抱持され、前記先端口の外周に密接した状態で該先端口にキャップが装着されてチップを密封する構成の筆記具に於いて、前記キャップの開口端面からその内部底に至る長さを、チップの先端から先端口のキャップ装着基端近傍に至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、前記弾発部材は先端口のキャップ装着基端からその先端方向に向けた筒状に成形され、その筒部の外周に、その一端開口縁に沿わせて周方向に断続的に突出配置した連設部と、各連設部間とキャップ装着基端との間に変形逃げ空隙を確保するように各連設部と凸凹状に並列させて周方向に断続的に突出配置したキャップ戻し弾発部とを連設させて設ける。
斯る技術的手段によれば、キャップを先端口に押し込んでその開口端面を弾性部材の各キャップ戻し弾発部に当接させてから更に押し込む。すると、各キャップ戻し弾発部はキャップの開口端面に押されて夫々の変形逃げ空隙側に逃げるように弾性変形すると共にその弾性変形に伴いキャップの内部底がチップの先端から突出する回転体に当接し、該回転体をスプリングに抗してチップの内向きの先端縁から離間させる如くチップ内方へ向けて後退せしめてチップ先端の弁構造を開弁する。一方、その状態でキャップの押し込み操作を解放すると、キャップはキャップ戻し弾発部の復元作用により先端口の正規の装着位置まで押し戻されると共にその内部底が回転体から離れ、回転体はスプリングによりチップの内向きの先端縁に接触せしめてチップ先端の弁構造を閉弁する。又、弾性部材の筒部は誤字修正を行うなどの使用時において滑り防止を図るグリップ作用を成す。
【０００６】
又、液タンクの先端口に装着されるチップの先端内部に、スプリングで弾発されてチップの内向きの先端縁に接触し且つ一部をその内向きの先端縁から突出した状態で回転体が抱持され、前記先端口の外周に密接させた状態で該先端口にキャップが装着されてチップを密封する構成の筆記具に於いて、前記キャップの開口端面からその内部底に至る長さを、チップの先端から先端口のキャップ装着基端近傍からに至る程度の長さに形成する一方、先端口の外周には該先端口のキャップ装着基端側までキャップを押し込んだ後にその押し込み操作を解放することでキャップを先端口に対する正規の装着位置まで押し戻す弾性部材を装着してなり、弾性部材は前記先端口のキャップ装着基端からその先端方向に向けた筒状に成形され、その筒部の外周に、その一端開口縁から適宜の間隔をおいてキャップ装着基端との間に変形逃げ空隙を確保するように周方向に突出させたキャップ戻し弾発部を設ける。
斯る技術的手段によれば、キャップを先端口に押し込んでその開口端面を弾性部材のキャップ戻し弾発部に当接させてから更に押し込む。すると、キャップ戻し弾発部は当接するキャップの開口端面に押されてキャップ装着基端との間の変形逃げ空隙側に逃げるように弾性変形すると共に、キャップ戻し弾発部の弾性変形に伴いキャップの内部底がチップの先端から突出する回転体に当接し、該回転体をスプリングに抗してチップの内向きの先端縁から離間させる如くチップ内方へ後退せしめてチップ先端の弁構造を開弁する。一方、その状態でキャップの押し込み操作を解放すると、キャップはキャップ戻し弾発部が変形前の元の状態に戻る際の復元力（弾発力）により先端口の正規の装着位置まで押し戻されると共に内部底が回転体から離れ、回転体はスプリングによりチップの内向きの先端縁に接触せしめてチップ先端の弁構造を閉弁する。又、上記した請求項１と同様に弾性部材の筒部は使用時の滑り防止を図るグリップ作用を成す。
【０００７】
更に、キャップを、先端口の外径よりも一回り程度大きめの内径にて成形した透明なキャップ本体と、このキャップ本体の尾端側に同芯状に組み込み内設され、先端口に装着する過程において、先端口の外周に密接せしめてチップを密封すると共に内部底がチップの先端から突出する回転体に当接せしめて該回転体をチップ内方へ後退させ、且つ回転体をチップの内向きの先端縁から離間させた時点で先端口に対する装着移動量を、先端口の先端面に対する当接により規制する有底筒状に成形した色付き内キャップとから形成する。
斯る技術的手段によれば、先端口に対する装着過程において、先端口の外周に密接せしめてチップを密封すると共に内部空気を加圧縮する役目と、加圧縮された圧縮空気を液タンク内に送り込むために回転体をチップの内向きの先端縁から離間させる如くチップ内方へ向けて後退させてチップ先端の弁構造を開弁する役目を成す色付き内キャップを透明なキャップ本体内に内設してなることから、キャップの装飾的効果を図り得る。又、内キャップはチップ先端の弁構造を開弁せしめた時点で先端口の先端面に対して衝合せしめてキャップの先端口に対する装着移動量を規制する。即ち、弁構造を開弁せしめた時点でキャップの動きを受け止めてチップの先端が回転体を後退させる内部底により塞がれないようにしてあるから、加圧縮された内キャップ内の圧縮空気は液タンク内に確実に送り込まれる。
【０００８】
【発明の実施の形態】
本発明の実施の具体例を図面に基づいて以下説明する。
図１乃至図６は請求項１、３に係る本発明筆記具の実施例を示し、液タンク１はペンタイプ或いはボトルタイプに成形され、その先端開口にチップ２を保持する先端口３が装着されており、この先端口３の外周に密接させた状態で該先端口３にキャップ４を装着する過程において、キャップ４の後述する内キャップ４−３  内の空気が加圧縮されると共に、内部底４−１  がチップ２の先端から突出する回転体５に当接し、該回転体５をスプリング６に抗してチップ２の内向きの先端縁２−１  から離間させる如くチップ２内方へ向けて後退させて回転体５と内向きの先端縁２−１  とで構成されるチップ２先端の弁構造を開弁して、加圧縮された内キャップ４−３  内の圧縮空気を液タンク１内に送り込んで、該液タンク１内を加圧するように構成してなる。そして、先端口３の外周には弾性部材７が装着されており、キャップ４を先端口３に対してキャップ装着基端３−１  側まで押し込み装着した後にその押し込み操作を解放することで、キャップ４が先端口３の正規の装着位置まで自動的に押し戻されるように構成してなる。
【０００９】
因みに、先端口３に対するキャップ４の正規の装着位置とはキャップ３が弾性部材７により先端口２から抜ける方向に後退戻されて内キャップ４−３  の内部底  ４−１  が回転体５から離れた状態である。即ち、内キャップ４−３  の内部底４−１  が離れることで、回転体５がスプリング６で弾発されてチップ２の内向きの先端縁  ２−１  に接触し、チップ２先端の弁構造が閉弁された状態である。
【００１０】
チップ２、先端口３は周知の構造を成す。即ち、チップ２は、適宜の金属材にてパイプ状に形成され、先細く形成した先端の開口縁を内側にカシメ等により絞り込んで同先端に内向きの先端縁２−１  を設けると共にその内部にはブローチ加工により形成した放射状の縦溝８を設けて、この縦溝８と内向きの先端縁２−１  との先端内部にスプリング６で弾発させて該内向きの先端縁２−１  に接触させた状態で且つ一部を内向きの先端縁２−１  から突出させた状態で回転体５を抱持してなる（図３の拡大図参照）。先端口３は、キャップ装着基端３−１  からチップ２を保持する先端側に向けた途中までをストレートとする大径筒部３−２  とし、この大径筒部３−２  から先端に向けて細く略ストレートに形成した先細状の段付き筒状に成形して、先端の小径筒部３−３  にチップ２を圧入により保持する。又、先端口３の大径筒部３−２  の外周には凹部９が設けられており、弾性部材７をしっかり且つ大径筒部３−２  の外周と面一状態にて装着し得るようにしてある。
【００１１】
凹部９は、キャップ装着基端３−１  から大径筒部３−２  の略全長に亘る範囲で弾性部材７の後述する筒部７−１  の筒壁の厚さに相当する深さにて形成する。そして、小径筒部３−３  側に位置する凹部９の底には適宜の幅と深さを有する環状溝１０を開口縁に沿わせて設けて、弾性部材７の後述する環状突起１１が緊締作用により嵌合係着するように形成してなる。
【００１２】
キャップ４は、透明な合成樹脂材料を用いて成形したキャップ本体４−２  と、この透明なキャップ本体４−２  の尾端側に同芯状に組み込み内設され、キャップ本体４−２  が先端口３に装着される過程において、先端口３の小径筒部３−３  の外周に密接せしめて該小径筒部３−３  から突出するチップ２を密封する着色が施された色付きの合成樹脂材料を用いて成形した内キャップ４−３  とから構成する。
【００１３】
キャップ本体４−２  は、先端口３の大径筒部３−２  の外径よりも一回り程度大きめの内径で円筒状に成形され、先端口３に対する装着過程において、先端口３の大径筒部３−２  の外周との間に内部空気が外部に自然に抜ける隙間１２が確保される状態で該先端口３を被嵌するようになっいる。そして、開口端面４−２０から内キャップ４−３  の内部底４−１  に至る長さＬ１  を回転体５が突出するチップ２の先端から先端口３のキャップ装着基端３−１  近傍に至る程度の長さＬ２  に形成する。換言すれば、図５に示した様に、キャップ４を先端口３に装着した際、開口端面４−２０が弾性部材７の後述するキャップ戻し弾発部１３に当接せしめて該キャップ戻し弾発部１３を弾性変形せしめると共にその弾性変形に伴い内キャップ４−３  の内部底４−１  がチップ２の先端から突出する回転体５に当接し、該回転体５をスプリング６に抗して内向きの先端縁２−１  から離間させる如くチップ２内方へ向けて後退させることができる長さＬ１  に形成する。
【００１４】
内キャップ４−３  は、先端口３の小径筒部３−３  の外周に密接する内径で適宜の長さを有する有底筒状に成形され、その開口縁から内方に向けた内面には先端口３に対する装着過程において、前記小径筒部３−３  の先端面３−３０に当接せしめて先端口３に対するキャップ４の装着移動量を規制する段部１４が形成されており、キャップ本体４−２  の尾端側に同芯状に開口された装着口１５に嵌合係止させた固着状態で該尾端側に同芯状に組み込み内設される。
【００１５】
而して、キャップ４はチップ２を密封すると共に内部空気を加圧縮し、加圧縮された圧縮空気を液タンク１内に送り込むために回転体５をチップ２の内向きの先端縁２−１  から離間させる如くチップ２内方へ向けて後退させてチップ２先端の弁構造を開弁する役目を成す色付き内キャップ４−３  を透明なキャップ本体４−２  に組み込み内設してなることから、装飾的効果が期待できる。そして、内キャップ  ４−３  は先端口３に対する装着過程において、内部底４−１  によりチップ２先端の弁構造を開弁せしめた時点で先端口３の小径筒部３−３  の先端面３−３０に対して段部１４を当接せしめてキャップ４の先端口３に対する装着移動量を規制する。即ち、キャップ４を装着する際の使用者の力加減に左右されることなく、回転体５への当接により弁構造を開弁せしめた時点でキャップ４の動きを受け止めてチップ２の内向きの先端縁２−１  が内キャップ４−３  の内部底４−１  により塞がれないようにしてある。つまり、加圧縮された内キャップ４−３  内の圧縮空気が開弁された回転体５と内向きの先端縁２−１  との間の隙間から液タンク１内に確実に送り込まれるようにしてある（図５の拡大図参照）。
【００１６】
弾性部材７は、先端口３の大径筒部３−２  に設けた凹部９内に、該大径筒部３−２  の外周と面一状態にて収まる厚さ、そして長さ及び外径を有する筒状に形成され、その筒部７−１  の外周には夫々周方向に断続的に突出配置せしめた状態で尚且つ凸凹状に並列させて連設させた連設部１６とキャップ戻し弾発部１３とを設ける（図２の（イ）参照）。
【００１７】
筒部７−１  は、誤字修正を行うなどの使用時において把持部分の滑り防止を図るグリップ作用を成すもので、その他端側開口縁の内周に凹部９の底に設けた環状溝１０に嵌合係着される環状突起１１を設けて、この環状突起１１に緊締バンドの如く作用する緊締作用により凹部９内に筒部７−１  を抜け外れることがない状態にしっかり且つ大径筒部３−２  の外周と面一状態にて定着保持し得るようにしてある。
【００１８】
連設部１６は、弾性部材７の筒部７−１  の一端開口縁に沿わせて周方向に一定の間隔をおいて断続的に且つキャップ本体４−２  の外径（開口端面４−２０の開口外径）と略同径とする突出高さにて周方向にブロック状に突出配置され、凸凹状に並列される各キャップ戻し弾発部１３を周方向全周に亘り連設する。
【００１９】
キャップ戻し弾発部１３は、先端口３に対する装着過程において、キャップ４の開口端面４−２０に押されて弾性変形し、その押し込み操作が解放された（キャップ４から手が離れた）時点で復元変形せしめてキャップ４を先端口３に対する正規の装着位置まで自動的に押し戻す役目を成す。即ち、前記装着過程において、内キャップ４−３  の内部底４−１  が当接してスプリング６に抗してチップ２内方に向けて回転体５を押動後退された後に該回転体５がスプリング６により再び内向きの先端縁２−１  に接触してチップ２先端の弁構造を閉弁する様に回転体５の押さえを解除する役目を成すもので、各連設部１６間を跨ぐ長さで周方向に断続的に且つ該連設部１６の突出高さにて尚且つ各連設部１６間とキャップ装着基端３−１  との間に変形逃げ空隙１７を確保するように各連設部１６と凸凹状に並列されて周方向にブロック状に突出配置され、先端口３に対する装着過程において、キャップ４の開口端面４−２０に押されて夫々の変形逃げ空隙１７側に逃げるように弾性変形するようにしてある（図２（ロ）参照）。
【００２０】
次に、以上の如く構成した本実施例の筆記具の使用例を説明すると、内キャップ４−３  を先端口３の小径筒部３−３  の外周に密接させた状態（図３の状態）でキャップ４の開口端面４−２０がキャップ装着基端３−１  側に存在する弾性部材７の各キャップ戻し弾発部１３に当接するまで押し込む（図４の状態）。この時、内キャップ４−３  内の空気は加圧縮される一方で、キャップ本体４−２  内の空気はキャップ本体４−２  内に止まることなく弾性部材７の筒部７−１  との隙間１２を通り抜けて各キャップ戻し弾発部１３間の空隙１８から外部に自然に抜ける（図１及び図２の（ロ）参照）。従って、先端口３に対する装着過程において、キャップ本体４−２  内の空気の残留による負荷抵抗が掛からずにキャップ４を装着することができる。つまり、キャップ４を小さな力で装着することができる。
そして、キャップ４の開口端面４−２０を各キャップ戻し弾発部１３に当接させてから更に押し込む。すると、内キャップ４−３  の段部１４が先端口３の小径筒部３−３  の先端面３−３０に当接せしめて先端口３に対する装着移動量を規制される過程において、キャップ戻し弾発部１３が夫々の変形逃げ空隙１７側に逃げるように弾性変形せしめる（図２の展開図（ロ）の状態）と共に、内キャップ４−３  の内部底４−１  はチップ２の先端から突出する回転体５に当接し、該回転体５をスプリング６に抗してチップ２の内向きの先端縁２−１  から離間させる如くチップ２内方へ向けて後退せしめてチップ２先端の弁構造を開弁する（図５の状態）。即ち、図１に示す様に先端口３に対する正規の装着位置ではチップ２の先端から離れている内キャップ４−３  の内部底４−１  はキャップ４の開口端面４−２０がキャップ装着基端３−１  側の各キャップ戻し弾発部１３に当接せしめて該キャップ戻し弾発部１３が夫々の変形逃げ空隙１７側に逃げるように弾性変形せしめるまで先端口３に対してキャップ４を押し込むことで、チップ２の先端から突出する回転体５に当接せしめると共に該回転体５をチップ２の内方に向けて後退させる。それにより、チップ２先端の弁構造は開弁され、加圧縮された内キャップ４−３  内の圧縮空気は開弁された内向きの先端縁２−１  と回転体５との隙間から液タンク１内に送り込まれ、該液タンク１の内圧を上昇させる。
一方、キャップ４を上記の如く内キャップ４−３  の段部１４が先端口３の小径筒部３−３  の先端面３−３０に当接せしめて先端口３に対する装着移動量を規制されるまで先端口３に対して押し込んだ後に、その押し込み操作を解放する（キャップ４を放す）と、キャップ４は各キャップ戻し弾発部１３が変形前の元の状態に戻る際の復元力により先端口３に対する正規の装着位置まで押し戻されると共に内キャップ４−３  の内部底４−１  は回転体５から離れる（図１の状態に戻される）。それにより、回転体５はスプリング６によりチップ２の内向きの先端縁２−１  に接触せしめて該先端の弁構造を閉弁する。
【００２１】
尚、上記した弾性部材７の筒部７−１  の外周に夫々周方向に断続的に突出配置せしめた状態で尚且つ凸凹状に並列させてブロック状に設けた連設部１６とキャップ戻し弾発部１３との突出連設形態はブロック状（角形）に限らず、図６に例示したように、異形状の突出形状にて周方向に凸凹状に並列連設せしめて、各連設部１６間とキャップ装着基端４−１  との間に確保される変形逃げ空隙１７或いは空隙１８の開口形状が蟻形（（イ）参照）、或いはＣ形（（ロ）参照）に確保されるようにするも良く、その突出連設形態は自由である。
【００２２】
図７乃至図９は請求項２、３に係る本発明筆記具の実施例を示し、図７乃至図８は弾性部材７の筒部７−１  の外周に、その一端開口縁から適宜の間隔をおいてキャップ装着基端３−１  との間に環状の変形逃げ空隙２０を確保するように１本のキャップ戻し弾発部１９のみを周方向全周に亘り環状（連続的）に突出させて、チップ２先端の弁構造を開弁せしめた後に、キャップ４を先端口３の正規の装着位置まで押し戻す様に構成したものである。尚、斯る実施例はキャップ戻し弾発部１９の突出形態を変えた以外の構成においては上記した実施例詳述と基本的に同じことから同じ構成部分に同じ符号を用いることでその説明は省略する。
【００２３】
キャップ戻し弾発部１９は、キャップ装着基端３−１  との間に環状の変形逃げ空隙２０を確保するように筒部７−１  の一端開口縁から間隔をおいて周方向全周に亘り連続的に突出配置され（図８参照）、上記した実施例詳述の如く先端口３に対する装着過程において、キャップ４の開口端面４−２０に押されて変形逃げ空隙２０側に逃げるように弾性変形する。そして、キャップ４の押し込み操作が解放されることで、変形前の元の状態に戻る復元力によりキャップ４を先端口３に対する正規の装着位置まで押し戻すものである。
【００２４】
又、図９は上記した実施例詳述のキャップ戻し弾発部１９の変形例を示し、（イ）は周方向に適宜の間隔をおいて断続的にキャップ戻し弾発部１９−１を突出配置した変形例を示す。（ロ）は周方向全周に亘り連続的に突出配置したキャップ戻し弾発部１９−２との間に環状の変形逃げ空隙２１を確保するように筒部７−１  の一端開口縁に沿わせて基端当接部２２を周方向全周に亘り連続的に突出配置した変形例を示す。
【００２５】
【発明の効果】
本発明の筆記具はは叙上の如く構成してなるから、下記の作用効果を奏する。
▲１▼．請求項１によれば、先端口に対する装着過程において、弾性部材の各キャップ戻し弾発部はキャップの開口端面に押されて夫々の変形逃げ空隙側に逃げるように弾性変形すると共にその弾性変形に伴いキャップの内部底がチップの先端から突出する回転体に当接し、該回転体をスプリングに抗して加圧縮されたキャップ内の圧縮空気を液タンクに送り込むためにチップの内向きの先端縁から離間させる如くチップ内方へ向けて後退せしめてチップ先端の弁構造を開弁する。一方、キャップの押し込み操作を解放すると、キャップはキャップ戻し弾発部の復元作用により先端口の正規の装着位置まで押し戻されると共にその内部底が回転体から離れ、回転体はスプリングによりチップの内向きの先端縁に接触せしめてチップ先端の弁構造を閉弁する。又、弾性部材の筒部は誤字修正を行うなどの使用時において滑り防止を図るグリップ作用を成す。
【００２６】
▲２▼．請求項２によれば、先端口に対する装着過程において、弾性部材のキャップ戻し弾発部は上記した▲１▼の如く、当接するキャップの開口端面に押されてキャップ装着基端との間の変形逃げ空隙側に逃げるように弾性変形する一方で、キャップの押し込み操作を解放すると、変形前の元の状態に戻る際の復元力によりキャップを先端口の正規の装着位置まで押し戻す。
【００２７】
▲３▼．請求項３によれば、先端口に対する装着過程において、先端口の外周に密接せしめてチップを密封すると共に内部空気を加圧縮する役目と、加圧縮された圧縮空気を液タンク内に送り込むために回転体をチップの内向きの先端縁から離間させてチップ先端の弁構造を開弁する役目を成す色付き内キャップを透明なキャップ本体内に内設してなることから、キャップの装飾的効果を図り得る。又、内キャップはチップ先端の弁構造を開弁せしめた時点で先端口の先端面に対して衝合せしめてキャップの先端口に対する装着移動量を規制する働きを成すことから、加圧縮された内キャップ内の圧縮空気は液タンク内に確実に送り込まれる。
【００２８】
従って、本発明の筆記具によれば、キャップの装着時に加圧縮せしめたキャップ内の圧縮空気を液タンク内に送り込んで液タンクの内圧上昇を図ることは勿論、圧縮空気を液タンクに送り込むためにチップの内向きの先端縁から回転体を離間させるその開弁動作を、弾性部材のキャップ戻し弾発部の弾性作用に行うようにしたから、長期に亘り確実且つ安定良く維持し得る。しかもキャップ戻し弾発部は変形逃げ空隙側に逃げるようにキャップに押されて弾性変形する。つまり、先端口に対する装着時に大きな押し込み力を必要としないことから、子供や女性等も手軽に取り扱うことができ、大変便利である。
【図面の簡単な説明】
【図１】請求項１又は３に係る本発明筆記具の具体例を示した断面図
【図２】同具体例の弾性部材の一部を示した展開図で、（イ）はキャップ戻し弾発部にキャップによる押し込み力が掛かっていない状態を示す、（ロ）はキャップ戻し弾発部がキャップにより押されて弾性変形せしめた状態を示す
【図３】先端口に対する装着過程において、先端口の外周に内キャップが密接せしめた状態の断面図
【図４】先端口に対する装着過程において、キャップの開口端面が弾性部材のキャップ戻し弾発部に当接した状態の同断面図
【図５】先端口に対する装着過程において、キャップの開口端面に押されて弾性部材のキャップ戻し弾発部が弾性変形した状態（開弁状態）の同断面図
【図６】（イ）（ロ）はキャップ戻し弾発部の突出連設形態を変えた他の変形例を示した弾性部材の展開図
【図７】請求項２又は３に係る本発明筆記具の具体例を示した断面図
【図８】同具体例の弾性部材の一部を示した展開図
【図９】（イ）（ロ）はキャップ戻し弾発部の突出形態を変えた他の変形例を示した弾性部材の同展開図
【図１０】従来の筆記具を示した断面図
【符号の説明】
１…液タンク                              ２…チップ
２−１  …内向きの先端縁                        ３…先端口
３−１  …キャップ装着基端                      ４…キャップ
４−１  …内部底                              ４−２  …キャップ本体
４−３  …内キャップ                          ４−２０…開口端面
５…回転体                                ６…スプリング
７…弾性部材                            ７−１  …筒部
１４…段部                  １３，１９，１９−１，１９−２…キャップ戻し弾発部
１６…連設部                        １７，２０，２１…変形逃げ空隙
【図１】
0003634452.tif 000002
【図２】
0003634452.tif 000003
【図３】
0003634452.tif 000004
【図４】
0003634452.tif 000005
【図５】
0003634452.tif 000006
【図６】
0003634452.tif 000007
【図７】
0003634452.tif 000008
【図８】
0003634452.tif 000009
【図９】
0003634452.tif 000010
【図１０】
0003634452.tif 000011